(57)【要約】【課題】設置領域が拡大することを抑制できる電気接続箱及びワイヤハーネスを提供する。【解決手段】バスバ２３、２６は、長尺状且つ板状に形成され電流値に応じて幅長が定められる。筐体３０は、配索面３２ｆと第１及び第２締結柱３２ｇ、３２ｈとを有する。配索面３２ｆは、バスバ２３、２６が配索される。第１及び第２締結柱３２ｇ、３２ｈは、絶縁性材料から形成され、配索面３２ｆに直交する高さ方向に沿って当該配索面３２ｆからバスバ２３、２６の幅長よりも高く突出し、バスバ２３、２６を固定する。第１及び第２締結柱３２ｇ、３２ｈは、配索面３２ｆとは反対側に設けられる頂部と、頂部と配索面３２ｆとの間に設けられる側面部３２ｊ、３２ｒとを有する。そして、第１及び第２締結柱３２ｇ、３２ｈは、バスバ２３、２６が側面部３２ｊ、３２ｒに沿って高さ方向に交差する方向（幅方向）に延在する。【選択図】図３
2019068631.tif 000002
【特許請求の範囲】
【請求項１】
長尺状且つ板状に形成され電流値に応じて幅長が定められたバスバと、
前記バスバが配索される配索面、及び、絶縁性材料から形成され前記配索面に直交する高さ方向に沿って当該配索面から前記バスバの前記幅長よりも高く突出し前記バスバを固定する固定部、を有する筐体と、を備え、
前記固定部は、前記配索面とは反対側に設けられる頂部と、前記頂部と前記配索面との間に設けられる側面部とを有し、前記バスバが前記側面部に沿って前記高さ方向に交差する方向に延在することを特徴とする電気接続箱。
【請求項２】
相手側コネクタに接続されるコネクタと、
前記高さ方向に沿って延在し前記コネクタの配索線に接続される第１端子部、及び、前記第１端子部の端部から前記高さ方向に交差する方向に沿って延在する第２端子部を有するＬ字状のＬ字端子と、を備え、
前記Ｌ字端子は、前記第１端子部が前記コネクタと前記側面部との間で当該側面部に対向し、且つ、前記第２端子部が前記頂部に対向した状態で、前記第２端子部が前記バスバに接続される請求項１に記載の電気接続箱。
【請求項３】
導電性材料により形成された配索材と、
前記配索材に電気的に接続される電気接続箱と、を備え、
前記電気接続箱は、
長尺状且つ板状に形成され電流値に応じて幅長が定められ前記配索材に接続されるバスバと、
前記バスバが配索される配索面、及び、絶縁性材料から形成され前記配索面に直交する高さ方向に沿って当該配索面から前記バスバの前記幅長よりも高く突出し前記バスバを固定する固定部、を有する筐体と、を有し、
前記固定部は、前記配索面とは反対側に設けられる頂部と、前記頂部と前記配索面との間に設けられる側面部とを有し、前記バスバが前記側面部に沿って前記高さ方向に交差する方向に延在することを特徴とするワイヤハーネス。
【発明の詳細な説明】
【技術分野】
【０００１】
本発明は、電気接続箱及びワイヤハーネスに関する。
【背景技術】
【０００２】
車両等に搭載される従来の電気接続箱として、例えば、特許文献１には、リレー等の各種電子部品が接続されるバスバと、バスバ及び各種電子部品を収容するケースと、バスバをケースに締結する締結部材とを備えるリレーボックスが開示されている。
【先行技術文献】
【特許文献】
【０００３】
【特許文献１】特開２００７−１１５５８０号公報
【発明の概要】
【発明が解決しようとする課題】
【０００４】
ところで、上述の特許文献１に記載のリレーボックスは、例えば、バスバをケースに締結するときに沿面距離を確保するために配索面が相対的に大きくなる場合があり、この場合、当該リレーボックスの設置領域が大きくなり、この点で更なる改善の余地がある。
【０００５】
そこで、本発明は、上記に鑑みてなされたものであって、設置領域が拡大することを抑制できる電気接続箱及びワイヤハーネスを提供することを目的とする。
【課題を解決するための手段】
【０００６】
上述した課題を解決し、目的を達成するために、本発明に係る電気接続箱は、長尺状且つ板状に形成され電流値に応じて幅長が定められたバスバと、前記バスバが配索される配索面、及び、絶縁性材料から形成され前記配索面に直交する高さ方向に沿って当該配索面から前記バスバの前記幅長よりも高く突出し前記バスバを固定する固定部、を有する筐体と、を備え、前記固定部は、前記配索面とは反対側に設けられる頂部と、前記頂部と前記配索面との間に設けられる側面部とを有し、前記バスバが前記側面部に沿って前記高さ方向に交差する方向に延在することを特徴とする。
【０００７】
また、上記電気接続箱において、相手側コネクタに接続されるコネクタと、前記高さ方向に沿って延在し前記コネクタの配索線に接続される第１端子部、及び、前記第１端子部の端部から前記高さ方向に交差する方向に沿って延在する第２端子部を有するＬ字状のＬ字端子と、を備え、前記Ｌ字端子は、前記第１端子部が前記コネクタと前記側面部との間で当該側面部に対向し、且つ、前記第２端子部が前記頂部に対向した状態で、前記第２端子部が前記バスバに接続されることが好ましい。
【０００８】
また、本発明に係るワイヤハーネスは、導電性材料により形成された配索材と、前記配索材に電気的に接続される電気接続箱と、を備え、前記電気接続箱は、長尺状且つ板状に形成され電流値に応じて幅長が定められ前記配索材に接続されるバスバと、前記バスバが配索される配索面、及び、絶縁性材料から形成され前記配索面に直交する高さ方向に沿って当該配索面から前記バスバの前記幅長よりも高く突出し前記バスバを固定する固定部、を有する筐体と、を有し、前記固定部は、前記配索面とは反対側に設けられる頂部と、前記頂部と前記配索面との間に設けられる側面部とを有し、前記バスバが前記側面部に沿って前記高さ方向に交差する方向に延在することを特徴とする。
【発明の効果】
【０００９】
本発明に係る電気接続箱及びワイヤハーネスは、固定部がバスバの幅長よりも高く突出し、当該バスバが固定部の側面部に沿って延在する。この構成により、電気接続箱及びワイヤハーネスは、側面部により沿面距離を稼ぐことができるので、配索面における沿面距離を抑制することができ、当該配索面の大型化を抑制することができる。この結果、電気接続箱及びワイヤハーネスは、電気接続箱を設置する設置領域が拡大することを抑制できる。
【図面の簡単な説明】
【００１０】
【図１】図１は、実施形態に係る電気接続箱の構成例を示す斜視図である。
【図２】図２は、実施形態に係る電気接続箱の構成例を示す分解斜視図である。
【図３】図３は、実施形態に係る電気接続箱の構成例を示す要部の斜視図である。
【図４】図４は、図１のＸ−Ｘ切断面を示す断面図である。
【図５】図５は、実施形態に係るＬ字端子の構成例を示す斜視図である。
【発明を実施するための形態】
【００１１】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１２】
〔実施形態〕
実施形態に係る電気接続箱１、及び、ワイヤハーネス２について説明する。電気接続箱１は、自動車等の車両に搭載され、ワイヤハーネス２に組み込まれるものである。ワイヤハーネス２は、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネス２は、導電性の配索材Ｗと、配索材Ｗに電気的に接続される電気接続箱１とを備える。配索材Ｗは、例えば、電線、電線束等によって構成される。電線は、複数の導電性の金属素線からなる導体部（芯線）の外側を絶縁性の被覆部によって覆ったものである。電線束は、当該電線を束ねたものである。ワイヤハーネス２は、複数の配索材Ｗを束ねて集約すると共に、束ねられた配索材Ｗの端末に設けられた端子や相手側コネクタ２ａ、２ｂ等を介して電気接続箱１が電気的に接続される。ワイヤハーネス２は、この他、さらに、グロメット、プロテクタ、固定具等を含んで構成されてもよい。
【００１３】
電気接続箱１は、コネクタとしての第１及び第２コネクタ部１１、１２、図示しない第１及び第２リレー等の電装品を集約して収容するものである。電気接続箱１は、例えば、車両に設けられた負荷部に組み付けられ、負荷部に流れる電流を通電又は遮断する。電気接続箱１は、リレーボックスなどとも呼ばれる場合がある。
【００１４】
ここで、以下の説明では、電気接続箱１のバスバ２１〜２６が配索される配索面３２ｆに直交する方向を高さ方向と称する。高さ方向は、アッパカバー３１とロアカバー３２とを嵌合する方向に沿った方向ともいえる。高さ方向のアッパカバー３１側を高さ方向の上側と称し、高さ方向のロアカバー３２側を高さ方向の下側と称する。第１コネクタ部１１と第２コネクタ部１２が並ぶ方向を幅方向と称する。第１及び第２コネクタ部１１、１２に相手側コネクタ２ａ、２ｂが挿入される方向を奥行き方向と称する。高さ方向、幅方向、及び、奥行き方向は、互いに略直交する。
【００１５】
電気接続箱１は、図１〜図５に示すように、第１及び第２コネクタ部１１、１２と、バスバ群２０と、筐体３０とを備える。第１コネクタ部１１は、相手側コネクタ２ａと電気的に接続される部分である。第１コネクタ部１１は、第１コネクタ本体１１ａと、２本の第１配索線１１ｂと、２つの第１Ｌ字端子１１ｃとを有する（図５参照）。第１コネクタ本体１１ａは、図示しない第１コネクタ端子と、当該第１コネクタ端子を収容する第１筒部１１ｄとを有する。第１コネクタ本体１１ａは、相手側コネクタ２ａが第１筒部１１ｄに嵌合され、第１コネクタ端子が相手側コネクタ端子と電気的に接続される。第１配索線１１ｂは、導電部材であり、一端が第１コネクタ端子に接続され、他端が第１Ｌ字端子１１ｃに接続される。第１Ｌ字端子１１ｃは、Ｌ字状に形成され、第１端子部１１ｅと、第２端子部１１ｆとを有する。第１端子部１１ｅは、高さ方向に沿って延在し、第１コネクタ本体１１ａの第１配索線１１ｂの他端に接続される。第１端子部１１ｅは、例えば、第１コネクタ本体１１ａの第１配索線１１ｂの他端が高さ方向の下側を向いた状態で、当該第１端子部１１ｅと第１配索線１１ｂの他端とが締め付け部材１１ｇにより締め付けられて固定される。第２端子部１１ｆは、第１端子部１１ｅの他端から奥行き方向に沿って延在する。第２端子部１１ｆは、例えば、後述する第１ボルト４１及び第１ナット５１等により第１締結柱（固定部）３２ｇに固定されバスバ２３に接続される。第１Ｌ字端子１１ｃは、第１端子部１１ｅが第１コネクタ本体１１ａと側面部３２ｊとの間で側面部３２ｊに対向し、且つ、第２端子部１１ｆが第１締結柱３２ｇの頂部３２ｉに対向した状態で第１締結柱３２ｇに固定される。
【００１６】
第２コネクタ部１２は、第１コネクタ部１１と同等に形成される。第２コネクタ部１２は、相手側コネクタ２ｂと電気的に接続される部分である。第２コネクタ部１２は、第２コネクタ本体１２ａと、２本の第２配索線１２ｂと、２つの第２Ｌ字端子１２ｃとを有する（図５参照）。第２コネクタ本体１２ａは、図示しない第２コネクタ端子と、当該第２コネクタ端子を収容する第２筒部１２ｄとを有する。第２コネクタ本体１２ａは、相手側コネクタ２ｂが第２筒部１２ｄに嵌合され、第２コネクタ端子が相手側コネクタ端子と電気的に接続される。第２配索線１２ｂは、導電部材であり、一端が第２コネクタ端子に接続され、他端が第２Ｌ字端子１２ｃに接続される。第２Ｌ字端子１２ｃは、Ｌ字状に形成され、第１端子部１２ｅと、第２端子部１２ｆとを有する。第１端子部１２ｅは、高さ方向に沿って延在し、第２コネクタ本体１２ａの第２配索線１２ｂの他端に接続される。第１端子部１２ｅは、例えば、第２コネクタ本体１２ａの第２配索線１２ｂの他端が高さ方向の下側を向いた状態で、当該第１端子部１２ｅと第２配索線１２ｂの他端とが締め付け部材１２ｇにより固定される。第２端子部１２ｆは、第１端子部１２ｅの他端から奥行き方向に沿って延在する。第２端子部１２ｆは、例えば、後述する第３ボルト４３及び第３ナット５３等により第２締結柱（固定部）３２ｈに固定されバスバ２３に接続される。第２Ｌ字端子１２ｃは、第１端子部１２ｅが第２コネクタ本体１２ａと側面部３２ｒとの間で当該側面部３２ｒに対向し、且つ、第２端子部１２ｆが第２締結柱３２ｈの頂部３２ｑに対向した状態で第２締結柱３２ｈに固定される。
【００１７】
バスバ群２０は、複数のバスバ２１〜２６を含んで構成される。各バスバ２１〜２６は、金属板から形成された導電部材である。各バスバ２１〜２６は、金属板に対するプレス加工等によって長尺状且つ板状に形成される。各バスバ２１〜２６は、例えば、各バスバ２１〜２６の電流密度と各バスバ２１〜２６の断面積に基づいて電流容量が定められるため、電気接続箱１が適用される負荷部の電流値に応じて幅長Ｈ（図２参照）が定められる。バスバ２１は、負荷部に接続される部分である。バスバ２１は、高さ方向に沿って延在し、挿通口３１ｊ（図４参照）から一部が筐体３０の外部に露出する。バスバ２２は、バスバ２１及び図示しない第１リレーに接続される部分である。バスバ２２は、配索面３２ｆに沿って延在する。なお、バスバ２２は、高さ方向において配索面３２ｆとの間に間隔を有して配索される。バスバ２３は、第１リレー、第１コネクタ部１１の一方側の第１Ｌ字端子１１ｃ、及び、第２コネクタ部１２の一方側の第２Ｌ字端子１２ｃに接続される部分である。バスバ２３は、幅方向に沿って延在する延在部２３ａと、この延在部２３ａと奥行き方向に並んで設けられ、幅方向に沿って延在する延在部２３ｂとを有する。バスバ２３は、さらに、幅方向の第１締結柱３２ｇ側の端部に設けられ延在部２３ａと延在部２３ｂとを連結する固定片２３ｃと、延在部２３ｂの幅方向の第２締結柱３２ｈ側の端部に設けられた固定片２３ｄとを有する。バスバ２３は、さらに、延在部２３ａの幅方向の第１リレー側の端部に設けられ第１リレーに接続される固定片２３ｅを有する。
【００１８】
バスバ２４は、負荷部に接続される部分である。バスバ２４は、高さ方向に沿って延在し、挿通口（不図示）から一部が筐体３０の外部に露出する。バスバ２５は、バスバ２４及び第２リレーに接続される部分である。バスバ２５は、配索面３２ｆに沿って延在する。なお、バスバ２５は、高さ方向において配索面３２ｆとの間に間隔を有して配索される。バスバ２６は、第２リレー、第１コネクタ部１１の他方側の第１Ｌ字端子１１ｃ、及び、第２コネクタ部１２の他方側の第２Ｌ字端子１２ｃに接続される部分である。バスバ２６は、幅方向に沿って延在する延在部２６ａを有する。バスバ２６は、さらに、バスバ２６の幅方向の第１締結柱３２ｇ側の端部に設けられた固定片２６ｂと、バスバ２６の幅方向の第２締結柱３２ｈ側の端部に設けられた固定片２６ｃと、バスバ２６の略中央部から奥行き方向の第２リレー側に延在し第２リレーに接続される固定片２６ｄとを有する。
【００１９】
筐体３０は、第１及び第２コネクタ部１１、１２の一部、及び、バスバ群２０等を収容するものである。筐体３０は、例えば、絶縁性の合成樹脂で形成される。筐体３０は、アッパカバー３１と、ロアカバー３２とを有する。アッパカバー３１は、ロアカバー３２と高さ方向に沿って嵌合し、ロアカバー３２と共に閉空間を形成する。アッパカバー３１は、上面部３１ａと、側壁部３１ｂと、第１及び第２リレー保持部３１ｃ、３１ｄと、第１及び第２接続部３１ｅ、３１ｆと、取り付け部３１ｇとを有する。上面部３１ａは、ロアカバー３２の高さ方向の上側の開口部を覆う部分である。上面部３１ａは、高さ方向から視た場合、略矩形状に形成される。側壁部３１ｂは、上面部３１ａの外周縁から高さ方向の下側に沿って延在する部分である。側壁部３１ｂは、上面部３１ａの外周縁の周りに枠状に形成される。
【００２０】
第１リレー保持部３１ｃは、上面部３１ａに設けられ、第１リレーを保持する部分である。第１リレー保持部３１ｃは、高さ方向の上側から視た場合、筒状且つ矩形状に形成される。第１リレー保持部３１ｃは、第１リレーが内側に装着される。第２リレー保持部３１ｄは、第１リレー保持部３１ｃと幅方向に沿って並んで配置され、第１リレー保持部３１ｃと同等に形成される。第２リレー保持部３１ｄは、上面部３１ａに設けられ、図示しない第２リレーを保持する部分である。第２リレー保持部３１ｄは、高さ方向から視た場合、筒状且つ矩形状に形成される。第２リレー保持部３１ｄは、第２リレーが内側に装着される。
【００２１】
第１接続部３１ｅは、上面部３１ａに設けられ、負荷部が接続される部分である。第１接続部３１ｅは、高さ方向の上側から視た場合、筒状且つ矩形状に形成される。第１接続部３１ｅは、高さ方向の下側の底面が閉塞される。第１接続部３１ｅは、底面に開口された挿通口３１ｊ（図４参照）からバスバ２１が高さ方向に沿って上側に突出する。第１接続部３１ｅは、バスバ２１の突出した部分に負荷部が接続される。第２接続部３１ｆは、第１接続部３１ｅと幅方向に沿って並んで配置され、第１接続部３１ｅと同等に形成される。第２接続部３１ｆは、上面部３１ａに設けられ、負荷部が接続される部分である。第２接続部３１ｆは、高さ方向の上側から視た場合、筒状且つ矩形状に形成される。第２接続部３１ｆは、高さ方向の下側の底面が閉塞される。第２接続部３１ｆは、底面に開口された挿通口（不図示）からバスバ２４が高さ方向に沿って上側に突出する。第２接続部３１ｆは、バスバ２４の突出した部分に負荷部が接続される。
【００２２】
取り付け部３１ｇは、側壁部３１ｂが一部平坦状に形成された平坦部３１ｈを複数有し、この各平坦部３１ｈに孔部３１ｉが形成される。取り付け部３１ｇは、アッパカバー３１とロアカバー３２とが嵌合された状態で、孔部３１ｉに挿通された締結部材（不図示）が、リング部材３２ｗを介して電気接続箱１を設置する設置面の孔部に締結されることにより電気接続箱１が設置面に固定される。
【００２３】
ロアカバー３２は、各バスバ２１〜２６等を収容する有底の筒状の部材である。ロアカバー３２は、底面部３２ａと、側壁部３２ｂと、第１及び第２コネクタ保持部３２ｃ、３２ｄと、固定部としての締結柱３２ｅと、絶縁リブ３２ｐとを有する（図２等参照）。底面部３２ａは、高さ方向の下側を閉塞する部分である。底面部３２ａは、高さ方向から視た場合、略矩形状に形成される。底面部３２ａは、各バスバ２１〜２６を配索する配索面３２ｆを有する。配索面３２ｆは、底面部３２ａの高さ方向の上側の面部である。側壁部３２ｂは、底面部３２ａの外周縁から高さ方向の上側に沿って延在する部分である。側壁部３２ｂは、底面部３２ａの外周縁の周りに枠状に形成される。第１コネクタ保持部３２ｃは、第１コネクタ本体１１ａを固定する部分である。第１コネクタ保持部３２ｃは、奥行き方向の一方側の側壁部３２ｂに設けられる。第１コネクタ保持部３２ｃは、側壁部３２ｂが第１コネクタ本体１１ａの外形に合わせて奥行き方向に開口されて形成される。第１コネクタ保持部３２ｃは、この開口に第１コネクタ本体１１ａが嵌合されることで当該第１コネクタ本体１１ａを保持する。第２コネクタ保持部３２ｄは、第１コネクタ保持部３２ｃと幅方向に沿って並んで配置され、第１コネクタ保持部３２ｃと同等に形成される。第２コネクタ保持部３２ｄは、第２コネクタ本体１２ａを固定する部分である。第２コネクタ保持部３２ｄは、奥行き方向の一方側の側壁部３２ｂに設けられる。第２コネクタ保持部３２ｄは、側壁部３２ｂが第２コネクタ本体１２ａの外形に合わせて奥行き方向に開口されて形成される。第２コネクタ保持部３２ｄは、この開口に第２コネクタ本体１２ａが嵌合されることで当該第２コネクタ本体１２ａを保持する。
【００２４】
締結柱３２ｅは、各バスバ２３、２６を締結する部分である。締結柱３２ｅは、絶縁性材料から形成され、例えば、直方体形状に形成される。締結柱３２ｅは、例えば、第１締結柱３２ｇと、第２締結柱３２ｈとを有する。第１締結柱３２ｇは、配索面３２ｆから高さ方向に沿ってバスバ２３、２６の幅長Ｈよりも高く突出する。第１締結柱３２ｇは、配索面３２ｆとは反対側（高さ方向の上側）に設けられる頂部３２ｉと、頂部３２ｉと配索面３２ｆとの間に設けられる側面部３２ｊとを有する。第１締結柱３２ｇは、この頂部３２ｉに第１及び第２凹部３２ｋ、３２ｍが設けられる。第１凹部３２ｋと第２凹部３２ｍとは、幅方向に沿って並んで配置される。第１凹部３２ｋは、頂部３２ｉの平面部３２ｎよりも窪んで形成され、第１ボルト４１の頭部４１ａが固定される。第２凹部３２ｍは、頂部３２ｉの平面部３２ｎよりも窪んで形成され、第２ボルト４２の頭部４２ａが固定される。絶縁リブ３２ｐは、絶縁性材料から形成される。絶縁リブ３２ｐは、配索面３２ｆから高さ方向に沿ってバスバ２３、２６の幅長Ｈよりも高く突出し、第１締結柱３２ｇと同等の高さに形成される。絶縁リブ３２ｐは、板状に形成され、第１締結柱３２ｇの第１リレー側の側面部３２ｊから奥行き方向に沿って延在し、さらに、幅方向の第２締結柱３２ｈ側に延在する。
【００２５】
第２締結柱３２ｈは、第１締結柱３２ｇと幅方向に並んで配置され、第１締結柱３２ｇと同等に形成される。第２締結柱３２ｈは、配索面３２ｆから高さ方向に沿ってバスバ２３、２６の幅長Ｈよりも高く突出する。第２締結柱３２ｈは、配索面３２ｆとは反対側に設けられる頂部３２ｑと、頂部３２ｑと配索面３２ｆとの間に設けられる側面部３２ｒとを有する。第２締結柱３２ｈは、頂部３２ｑに第１及び第２凹部３２ｓ、３２ｔが設けられる。第１凹部３２ｓと第２凹部３２ｔとは、幅方向に沿って並んで配置される。第１凹部３２ｓは、頂部３２ｑの平面部３２ｕよりも窪んで形成され、第３ボルト４３の頭部４３ａが固定される。第２凹部３２ｔは、頂部３２ｑの平面部３２ｕよりも窪んで形成され、第４ボルト４４の頭部４４ａが固定される。
【００２６】
バスバ２３は、当該バスバ２３の固定片２３ｃの孔部と一方側の第１Ｌ字端子１１ｃの孔部とが第１ボルト４１に挿入された状態で、当該第１ボルト４１に第１ナット５１が締結される。この締結により、バスバ２３は、当該バスバ２３及び一方側の第１Ｌ字端子１１ｃが第１締結柱３２ｇに固定される。さらに、バスバ２３は、当該バスバ２３の固定片２３ｄの孔部と一方側の第２Ｌ字端子１２ｃの孔部とが第３ボルト４３に挿入された状態で、第３ボルト４３に第３ナット５３が締結される。この締結により、バスバ２３は、当該バスバ２３及び一方側の第２Ｌ字端子１２ｃが第２締結柱３２ｈに固定される。そして、バスバ２３は、延在部２３ｂが第１締結柱３２ｇの第１コネクタ部１１側の側面部３２ｊに沿って幅方向に延在する。また、バスバ２３は、延在部２３ｂが第２締結柱３２ｈの第２コネクタ部１２側の側面部３２ｒに沿って幅方向に延在する。また、バスバ２３は、延在部２３ａが絶縁リブ３２ｐの第１リレー側の側面部３２ｖに沿って幅方向に沿って延在する。
【００２７】
バスバ２６は、当該バスバ２６の固定片２６ｂの孔部と他方側の第１Ｌ字端子１１ｃの孔部とが第２ボルト４２に挿入された状態で、第２ボルト４２に第２ナット５２が締結される。この締結により、バスバ２６は、当該バスバ２６及び他方側の第１Ｌ字端子１１ｃが第１締結柱３２ｇに固定される。さらに、バスバ２６は、当該バスバ２６の固定片２６ｃの孔部と他方側の第２Ｌ字端子１２ｃの孔部とが第４ボルト４４に挿入された状態で、第４ボルト４４に第４ナット５４が締結される。この締結により、バスバ２６は、当該バスバ２６及び他方側の第２Ｌ字端子１２ｃが第２締結柱３２ｈに固定される。そして、バスバ２６は、延在部２６ａが第１締結柱３２ｇの第１リレー側の側面部３２ｊに沿って幅方向に延在し、さらに、第２締結柱３２ｈの第２リレー側の側面部３２ｒに沿って幅方向に延在する。本実施形態では、バスバ２６の延在部２６ａとバスバ２３の延在部２３ａとの奥行き方向に重なる部分が絶縁リブ３２ｐにより区切られる。
【００２８】
以上のように、実施形態に係る電気接続箱１は、バスバ２３、２６と、筐体３０とを備える。ワイヤハーネス２は、さらに、電気接続箱１に電気的に接続される配索材Ｗを備える。バスバ２３、２６は、長尺状且つ板状に形成され電流値に応じて幅長Ｈが定められる。筐体３０は、配索面３２ｆと締結柱３２ｅとを有する。配索面３２ｆは、バスバ２３、２６が配索される。締結柱３２ｅは、絶縁性材料から形成され、配索面３２ｆに直交する高さ方向に沿って当該配索面３２ｆからバスバ２３、２６の幅長Ｈよりも高く突出し、バスバ２３、２６を固定する。締結柱３２ｅは、配索面３２ｆとは反対側に設けられる頂部３２ｉ、３２ｑと、頂部３２ｉ、３２ｑと配索面３２ｆとの間に設けられる側面部３２ｊ、３２ｒとを有する。そして、締結柱３２ｅは、バスバ２３、２６が側面部３２ｊ、３２ｒに沿って高さ方向に交差する方向（幅方向）に延在する。
【００２９】
この構成により、電気接続箱１及びワイヤハーネス２は、バスバ２３、２６が締結柱３２ｅの側面部３２ｊ、３２ｒに沿って延在するので、配索面３２ｆ以外の部分で沿面距離を稼ぐことができる。この構成により、電気接続箱１及びワイヤハーネス２は、バスバ２３、２６が配索面３２ｆに延在することを抑制することができる。つまり、電気接続箱１及びワイヤハーネス２は、側面部３２ｊ、３２ｒにより沿面距離を稼ぐことができるので、その分配索面３２ｆにおける沿面距離を抑制することが可能となり、当該配索面３２ｆの大型化を抑制することができる。また、電気接続箱１及びワイヤハーネス２は、配索面３２ｆに設けられる絶縁リブ３２ｐを可能な限り省略することができる。この結果、電気接続箱１及びワイヤハーネス２は、筐体３０の配索面３２ｆを相対的に小さくすることが可能となり、電気接続箱１を設置する設置領域が拡大することを抑制できる。
【００３０】
上記電気接続箱１は、Ｌ字状に形成された第１及び第２Ｌ字端子１１ｃ、１２ｃを備える。第１Ｌ字端子１１ｃは、高さ方向に沿って延在し第１コネクタ部１１の第１配索線１１ｂに接続される第１端子部１１ｅ、及び、第１端子部１１ｅの端部から高さ方向に交差する方向（奥行き方向）に沿って延在する第２端子部１１ｆを有する。そして、第１Ｌ字端子１１ｃは、第１端子部１１ｅが第１コネクタ本体１１ａと側面部３２ｊとの間で当該側面部３２ｊに対向し、且つ、第２端子部１１ｆが頂部３２ｉに対向した状態で、第２端子部１１ｆがバスバ２３、２６に接続される。この構成により、電気接続箱１は、第１コネクタ部１１の第１配索線１１ｂが高さ方向に沿って第１端子部１１ｅに接続されるので、第１配索線１１ｂの長さの誤差を吸収することができる。つまり、電気接続箱１は、第１配索線１１ｂに余剰が生じても当該第１配索線１１ｂを高さ方向の下側に延在させることで、余剰分を吸収することができる。この構成により、電気接続箱１は、第１コネクタ部１１の組み付け性を向上させることができる。なお、第２Ｌ字端子１２ｃは、第１Ｌ字端子１１ｃと同等に構成され、第１Ｌ字端子１１ｃと同等の作用効果を有する。
【符号の説明】
【００３１】
１  電気接続箱
２  ワイヤハーネス
２ａ、２ｂ  相手側コネクタ
１１  第１コネクタ部（コネクタ）
１１ｂ  第１配索線（配索線）
１１ｃ  第１Ｌ字端子
１１ｅ、１２ｅ  第１端子部
１１ｆ、１２ｆ  第２端子部
１２  第２コネクタ部（コネクタ）
１２ｂ  第２配索線（配索線）
１２ｃ  第２Ｌ字端子
２１〜２６  バスバ
２３ｃ〜２３ｅ、２６ｂ〜２６ｄ  固定片
３０  筐体
３２ｅ  締結柱（固定部）
３２ｇ  第１締結柱（固定部）
３２ｈ  第２締結柱（固定部）
３２ｆ  配索面
３２ｉ、３２ｑ  頂部
３２ｊ、３２ｒ  側面部
Ｗ  配索材
【図１】
2019068631.tif 000003
【図２】
2019068631.tif 000004
【図３】
2019068631.tif 000005
【図４】
2019068631.tif 000006
【図５】
2019068631.tif 000007